(57)【要約】【課題】従来のレンズクリーナの場合、クリーナ保持部材であるディスク盤面の面方向に対しほぼ直角もしくは傾斜状に植設されており、レンズとディスク盤面との距離が近づくにつれクリーナ部材が変形するための負荷が著しく大きくなっている。【解決手段】クリーナ部材とクリーナ保持部材であるディスク盤面の面方向とのなす角度を略平行となるよう植設し、クリーナ部材の周囲にクリーナ部材が待避するための待避部とを構成し、クリーナ部材はクリーナ保持部材への固定部から先端に近づくにつれ、前記対物レンズの側に近づくよう変形させたものである。また、ディスク盤面の対物レンズと反対側に貫通した待避部を覆う空気導入カバーを設け、空気導入カバーの空気流によりクリーナ部材を対物レンズの側に付勢するよう構成し、クリーナ部材が対物レンズの表面の埃を確実にふき取るように構成した。【選択図】図２
2006172612.tif 000002
【特許請求の範囲】
【請求項１】
ディスク媒体に対して情報を記録または再生する記録再生手段の清掃を行う清掃装置であって、前記ディスク媒体を回転駆動する回転駆動手段に着脱自在な基材と、前記基材における前記記録再生手段に対向した位置でかつ前記基材の回転面と略平行に植設される清掃手段と、前記基材に設けられ前記清掃手段を内設した凹部とを備え、前記基材を回転させた時、前記清掃手段が前記記録再生手段に摺接することを特徴とする清掃装置。
【請求項２】
ディスク媒体に対して情報を記録または再生する記録再生手段における対物レンズの清掃を行う清掃装置であって、前記ディスク媒体を回転駆動するターンテーブルに着脱自在なクリーナ保持部材と、前記クリーナ保持部材における前記対物レンズに対向した位置でかつ前記クリーナ保持部材の回転面と略平行に植設されるクリーナ部材と、前記クリーナ部材の周囲に前記クリーナ部材が待避するための待避部とを備え、前記クリーナ保持部材を回転させた時、前記クリーナ部材が前記対物レンズに摺接することを特徴とする清掃装置。
【請求項３】
ディスク媒体に対して情報を記録または再生する記録再生手段における対物レンズの清掃を行う清掃装置であって、前記ディスク媒体を回転駆動するターンテーブルに着脱自在なクリーナ保持部材と、前記クリーナ保持部材における前記対物レンズに対向した位置でかつ前記クリーナ保持部材の回転面と略平行に植設されるクリーナ部材と、前記クリーナ部材の周囲に前記クリーナ部材が待避可能に設けられかつ前記クリーナ保持部材を貫通する待避部と、前記クリーナ保持部材における前記対物レンズと対向した面の反対面に前記待避部を覆う空気導入カバーとを備え、前記空気導入カバーは、その一部に前記待避部と外部とを連通する開口部を有し、前記開口部から流入する空気流により前記クリーナ部材を前記対物レンズの側に押圧するよう構成したことを特徴とする清掃装置。
【請求項４】
クリーナ部材は、クリーナ保持部材への固定部から先端に近づくにつれ、前記対物レンズの側に近づくよう変形させたことを特徴とする請求項２および請求項３記載の清掃装置。
【請求項５】
クリーナ保持部材が回転する接線方向の待避部の幅は、対物レンズを保持する保持部材の外形より小さく構成したことを特徴とする請求項２および請求項３記載の清掃装置。
【発明の詳細な説明】
【技術分野】
【０００１】
本発明は、例えばＣＤプレーヤやＤＶＤレコーダおよびブルーレイレコーダ（以下、ＢＤレコーダという）等の光学式再生装置もしくは光学式記録再生装置の対物レンズをクリーニングするためのレンズクリーナに適用して有効な清掃装置に関するものである。
【背景技術】
【０００２】
従来、レンズクリーナとしては、レンズクリーナ保持部材であるディスク盤面にほぼ直角に植設されており、ディスクの回転時に対物レンズとクリーナ部材を接触させてレンズ面をクリーニングするよう構成されていた（例えば、特許文献１参照）。図６は、前記特許文献１に記載された従来のレンズクリーナを示すものである。
【０００３】
図６において、クリーナ部材１０２は、クリーナ保持部材１０１へクリーナ固定部１０３によりほぼ直角に植設されている。レンズ保持部材１０５により保持された対物レンズ１０４は、前記クリーナ部材１０２により、表面に付着した埃等の汚れをクリーニングされるよう構成されている。
【０００４】
また、クリーナ部材をクリーナ保持部材に傾斜状に植設されているものも提案されている（例えば、特許文献２参照）。
【特許文献１】特開平５−６２２３３号公報
【特許文献２】実開平４−１３２６１９号公報
【発明の開示】
【発明が解決しようとする課題】
【０００５】
しかしながら、前記従来の構造では、クリーナ保持部材であるディスク盤面に対しほぼ直角もしくは傾斜状に植設されており、対物レンズとクリーナ保持部材との距離が近づくにつれクリーナ部材が変形するための負荷が著しく大きくなっている。すなわち、ＢＤレコーダのように、ディスクと対物レンズとの動作距離いわゆるワーキングディスタンスが、０．１ｍｍから０．３ｍｍ程度まで近づいて記録再生が行われるような装置に使用する場合、クリーナ部材がほとんど変形できないクリーナ固定部の近傍では、対物レンズに極めて大きな衝撃を与えることが発生し、場合によっては対物レンズおよびレンズ保持部材に大きなダメージを与える結果となっていた。
【０００６】
本発明は上記従来の課題を解決し、特にワーキングディスタンスが小さいプレーヤにおいても安全で確実にレンズクリーニングする事ができる清掃装置を提供することを目的とする。
【課題を解決するための手段】
【０００７】
本発明の清掃装置は、クリーナ部材とレンズクリーナ保持部材であるディスク盤面の面方向とのなす角度を略平行となるよう植設して、クリーナ部材の周囲にクリーナ部材が待避するための待避部とを構成し、クリーナ部材はクリーナ保持部材への固定部から先端に近づくにつれ、前記対物レンズの側に近づくように変形し構成したものである。また、クリーナ保持部材の対物レンズと反対側に貫通した待避部を覆う空気導入カバーを設け、空気導入カバーの空気流によりクリーナ部材を対物レンズの側に付勢するよう構成し、クリーナ部材が対物レンズの表面に付着した埃を確実にふき取るように構成した。
【発明の効果】
【０００８】
本発明の清掃装置によれば、クリーナ部材が変形するための負荷が著しく大きいクリーナ固定部近傍の部分と対物レンズとが接触することがなく、クリーナ部材の先端部分の変形負荷が軽い部分でレンズと接触することができる。また、空気導入カバーによる空気流により、クリーナ部材を対物レンズの側に付勢することにより安全で確実に対物レンズのクリーニングを行うことができる。
【発明を実施するための最良の形態】
【０００９】
本発明の請求項１に記載の発明は、ディスク媒体に対して情報を記録または再生する記録再生手段の清掃を行う清掃装置であって、前記ディスク媒体を回転駆動する回転駆動手段に着脱自在な基材と、前記基材における前記記録再生手段に対向した位置でかつ前記基材の回転面と略平行に植設される清掃手段と、前記基材に設けられ前記清掃手段を内設した凹部とを備え、前記基材を回転させた時、前記清掃手段が前記記録再生手段に摺接するものであり、これにより、清掃手段が変形するための負荷が著しく大きい固定部近傍の部分と、被清掃手段である記録再生手段とが接触することがなく、清掃手段の先端部分の変形負荷が軽い部分で記録再生手段と接触することができる。
【００１０】
請求項２に記載の発明は、ディスク媒体に対して情報を記録または再生する記録再生手段における対物レンズの清掃を行う清掃装置であって、前記ディスク媒体を回転駆動するターンテーブルに着脱自在なクリーナ保持部材と、前記クリーナ保持部材における前記対物レンズに対向した位置でかつ前記クリーナ保持部材の回転面と略平行に植設されるクリーナ部材と、前記クリーナ部材の周囲に前記クリーナ部材が待避するための待避部とを備え、前記クリーナ保持部材を回転させた時、前記クリーナ部材が前記対物レンズに摺接するものであり、クリーナ部材が変形するための負荷が著しく大きいクリーナ固定部近傍の部分と対物レンズとが接触することがなく、クリーナ部材の先端部分の変形負荷が軽い部分でレンズと接触することができる。
【００１１】
請求項３に記載の発明は、ディスク媒体に対して情報を記録または再生する記録再生手段における対物レンズの清掃を行う清掃装置であって、前記ディスク媒体を回転駆動するターンテーブルに着脱自在なクリーナ保持部材と、前記クリーナ保持部材における前記対物レンズに対向した位置でかつ前記クリーナ保持部材の回転面と略平行に植設されるクリーナ部材と、前記クリーナ部材の周囲に前記クリーナ部材が待避可能に設けられかつ前記クリーナ保持部材を貫通する待避部と、前記クリーナ保持部材における前記対物レンズと対向した面の反対面に前記待避部を覆う空気導入カバーとを備え、前記空気導入カバーは、その一部に前記待避部と外部とを連通する開口部を有し、前記開口部から流入する空気流により前記クリーナ部材を前記対物レンズの側に押圧するものであり、これにより、空気導入カバーによる空気流により、クリーナ部材を対物レンズの側に付勢することにより安全で確実に対物レンズのクリーニングを行うことができる。
【００１２】
以下、本発明の実施の形態について図面を参照しながら説明する。
【００１３】
（実施の形態１）
図１は本発明の実施形態１における清掃装置の要部構成を示す斜視図である。図２は図１におけるＢ−Ｂ’矢印方向からの部分断面を示す要部断面図である。図３は、図１におけるＣ部を示す要部斜視図である。図１から図３において、同じ構成要素については同じ符号を用い説明を省略する。
【００１４】
図１から図３において、１は基材であるクリーナ保持部材であり、ディスク状の部材にて構成されている。通常は、クリーニングすべき機器で使用される記録媒体の形状と同等に構成されるが、これに限定されるものではない。本実施の形態では、ＣＤやＤＶＤの記録媒体としてよく使われている直径１２ｃｍのディスク状媒体と同等のものを一例として説明している。
【００１５】
２はセンタホールであり、一般の記録済みディスクや記録再生用のディスクと同一の方法で光学式記録再生装置（図示せず）のターンテーブル（図示せず）に保持される部分である。クリーナ保持部材１は、センタホール２にターンテーブルの突起を係合させて、ターンテーブルをスピンドルモータ（図示せず）で回転させることにより、クリーナ保持部材１を矢印Ａの方向に回転される。なお、本実施の形態は光学式記録再生装置だけでなく、ディスク状の記録媒体の再生だけが可能な光学式再生装置などにも用いることができるが、以下の説明では光学式記録再生装置を用いて説明をしている。
【００１６】
３は対物レンズ６に摺接させることで対物レンズ６の清掃を行うことができる清掃手段である略ブラシ状のクリーナ部材であり、クリーナ固定部５によりクリーナ保持部材１に植設されている。クリーナ固定部５において、クリーナ部材３は、クリーナ保持部材１の回転面に対し略平行に植設されている。クリーナ部材３は、クリーナ固定部５から先端に近づくにつれ、対物レンズ６の側に近づくよう変形させている。また、クリーナ固定部５に対する植設方向は、クリーナ保持部材１の回転方向（矢印Ａ方向）に対して逆方向である。すなわち、対物レンズ６の清掃時、クリーナ部材３の先端から対物レンズ６に接触するのではなく、先端から根元の間の部位から接触するようになっている。また、本実施の形態では、２カ所に設けたクリーナ部材３（待避部４とクリーナ固定部５も同様）は、それぞれクリーナ保持部材１の中心からの距離が同じになる位置に配置しているが（即ち、同円上に配置）、配置構成についてはこれに限定されるものではなく、それぞれ中心からの距離を異ならせてもよい。中心からの距離を異ならせることで、清掃範囲をクリーナ保持部材１の半径方向に拡大することができる。なお、本実施の形態では略ブラシ状としたが、形態はこれに限定されるものではない。
【００１７】
４は待避部であり、対物レンズ６とクリーナ部材３とが接触したときに、必要に応じてクリーナ部材３が変形し待避するための凹形状空間である。本実施の形態では、クリーナ部材３と待避部４とクリーナ固定部５を、クリーナ保持部材１上に２カ所設けたが、配置個数についてはこれに限定されるものではない。当然ながら、配置個数を増やす程、クリーナ保持部材１の回転数に対して対物レンズ６への接触回数が増えるので、短時間で清掃が完了する。また、本実施の形態では、待避部４はクリーナ保持部材１の厚さ方向に貫通した孔で構成しているが、必ずしも貫通していなくてもよく、少なくともクリーナ部材３を待避させることができればよい。
【００１８】
７はレンズ保持部材であり、対物レンズ６を保持している。対物レンズ６は、記録済みディスクや記録再生用ディスクに、光学的情報を記録または再生するために光をディスクに収束させるためのレンズである。対物レンズ６に埃が付着すると、光学的情報の伝達に大きな障害をもたらす原因となる。図３に示すように、矢印Ｄの回転方向に対する接線方向の待避部４の幅ａは、レンズ保持部材７の外形寸法ｂより小さく構成されており、レンズ保持部材７が待避部４に入り込まないよう構成されている。
【００１９】
本実施の形態では、対物レンズ６やレンズ保持部材７をはじめとする、記録媒体に対して信号の記録や再生が可能な手段を、記録再生手段と定義する。
【００２０】
以上のように構成された本実施の形態のレンズクリーナについて、以下その動作について説明する。
【００２１】
まず、清掃する光学式記録再生装置（ＣＤプレーヤやＤＶＤレコーダなど）に、図１に示すクリーナ保持部材１を装着する。具体的には、ドライブ装置におけるターンテーブル（図示せず）に、クリーナ保持部材１のセンタホール２を装着することで、クリーナ保持部材１を光学式記録再生装置に装着が完了する。なお、センタホール２のターンテーブルに対する装着方法は、使用者によって手動にて装着する構成でもよいし、トレイ（図示せず）にクリーナ保持部材１を載置しローディング機構によって自動的に装着する構成でもよい。
【００２２】
次に、ドライブ装置を再生状態にすることで、ターンテーブルが回転させクリーナ保持部材１を所定の回転数にて矢印Ａ方向へ回転させるとともに、レーザーダイオード（図示せず）や光ピックアップ（図示せず）をクリーナ保持部材１の半径方向に移動させ、所定位置にて停止させる。その停止位置が、図１に示す対物レンズ６及びレンズ保持部材７の位置である。
【００２３】
この状態では、クリーナ保持部材１は矢印Ａ方向に回転しているため、クリーナ保持部材１に設けられたブラシ状のクリーナ部材３が、レンズ保持部材７に保持されている対物レンズ６の表面に摺接し清掃する。これにより、対物レンズ６の表面に付着した埃などの異物を、除去することができる。
【００２４】
本実施の形態では、クリーナ部材３と待避部４とクリーナ固定部５とからなるクリーナ手段は、クリーナ保持部材１上に、クリーナ保持部材１の中心から同半径位置に２カ所設けたので、クリーナ保持部材１が１回転するとクリーナ部材３が対物レンズ６に２回接触する。
【００２５】
また、クリーナ部材３は、クリーナ保持部材１の回転面に対し平行になるようにクリーナ固定部５で固定されており、かつクリーナ固定部５から先端に向かって対物レンズ６側（クリーナ保持部材１の裏面側）に変形させるように構成している。よって、クリーナ部材３の先端近傍は、クリーナ保持部材１の裏面から下側（対物レンズ６側）に突出するように構成される。
【００２６】
さらに、クリーナ部材３の配置部分近傍には待避部４を設けているため、対物レンズ６とクリーナ部材３とを接触させて対物レンズ６の清掃を行っているときに、接触の際の反動でクリーナ部材３が変形して上方向（クリーナ保持部材１の表面側の方向）へ移動したとしても、クリーナ部材３を待避させることができる。
【００２７】
所定時間（例えば１０秒）、クリーナ部材３を対物レンズ６に摺接させてクリーニング動作を行ったあと、光学式記録再生装置の停止操作をすることで、ターンテーブルの回転を停止させクリーナ保持部材１の回転を停止させ、対物レンズ６を含む光ピックアップやレーザーダイオードなどを待避させることができる。そして、センタホール２をターンテーブルから取り外すことで、クリーナ保持部材１を光学式記録再生装置から離脱する。これにより、クリーニング動作が完了する。
【００２８】
かかる構成によれば、クリーナ保持部材１の回転面に対し略平行にクリーナ部材３を植設し、クリーナ部材３の周囲に待避部４を設けたことにより、対物レンズ６に付着した埃を除去する際に、ワーキングディスタンスの小さな対物レンズ６においても、対物レンズ６にクリーナ部材３の大きな負荷が掛かることがなく、対物レンズ６に付着した埃を安全に除去することができる。また、クリーナ保持部材１の回転方向に対する接線方向の待避部４の幅ａは、レンズ保持部材７の外形寸法ｂより小さく構成されており、レンズ保持部材７が待避部４に入り込んでしまうというよな事故を防止できる。
【００２９】
なお、本実施の形態において、クリーナ保持部材１へはクリーナ部材３を２カ所構成しているが、１カ所もしくは２カ所以上の複数カ所にクリーナ部材３を構成しても良い。また、クリーナ部材３としてブラシ状の構成を示したが、不織布の様なシート状の物でクリーナ部材３を構成してもよい。
【００３０】
（実施の形態２）
図４は本発明の実施形態２におけるレンズクリーナの要部構成を示す斜視図である。図５は図４におけるＦ−Ｆ’矢印方向からの部分断面を示す詳細図である。図４と図５において、図１から図３と同じ構成要素については同じ符号を用い説明を省略する。
【００３１】
図４および図５において、１はクリーナ保持部材であり、ディスク状の部材にて構成されている。通常は、クリーニングすべき機器で使用される記録媒体の形状と同等に構成されるが、これに限定されるものではない。本実施の形態では、ＣＤやＤＶＤの記録媒体としてよく使われている直径１２ｃｍのディスク状媒体と同等のものを一例として説明している。
【００３２】
２はセンタホールであり、一般の記録済みディスクや記録再生用のディスクと同一の方法で光学式記録再生装置（図示せず）のターンテーブル（図示せず）に保持される部分である。クリーナ保持部材１は、センタホール２にターンテーブルの突起を係合させて、ターンテーブルをスピンドルモータ（図示せず）で回転させることにより、クリーナ保持部材１を矢印Ａの方向に回転される。なお、本実施の形態は光学式記録再生装置だけでなく、ディスク状の記録媒体の再生だけが可能な光学式再生装置などにも用いることができるが、以下の説明では光学式記録再生装置を用いて説明をしている。
【００３３】
３は対物レンズ６に摺接させることで対物レンズ６の清掃を行うことができる略ブラシ状のクリーナ部材であり、クリーナ固定部５によりクリーナ保持部材１に植設されている。クリーナ固定部５において、クリーナ部材３は、クリーナ保持部材１の回転面に対し略平行に植設されている。クリーナ部材３は、クリーナ固定部５から先端に近づくにつれ、対物レンズ６の側に接近するよう変形させている。また、クリーナ固定部５に対する植設方向は、クリーナ保持部材１の回転方向（矢印Ａ方向）に対して逆方向である。すなわち、対物レンズ６の清掃時、クリーナ部材３の先端から対物レンズ６に接触するのではなく、先端から根元の間の部位から接触するようになっている。また、本実施の形態では、２カ所に設けたクリーナ部材３（待避部４とクリーナ固定部５も同様）は、それぞれクリーナ保持部材１の中心からの距離が同じになる位置に配置しているが（即ち、同円上に配置）、配置構成についてはこれに限定されるものではなく、それぞれ中心からの距離を異ならせてもよい。中心からの距離を異ならせることで、清掃範囲をクリーナ保持部材１の半径方向に拡大することができる。なお、本実施の形態では略ブラシ状としたが、形態はこれに限定されるものではない。また、本実施の形態では、クリーナ固定部５から先端に近づくにつれ、対物レンズ６の側に接近するよう変形させている構成としたが、変形させずにクリーナ保持部材１の回転面に対して略平行としてもよい。略平行にした際、空気導入カバー８から導入される空気の圧力によって、クリーナ部材３を下方向（矢印Ｈ方向）へ付勢させることで、対物レンズ６と接触させることができる。
【００３４】
４は待避部であり、対物レンズ６とクリーナ部材３とが接触したときに、必要に応じてクリーナ部材３が変形し待避するための空間である。本実施の形態の待避部４は、少なくともクリーナ保持部材１の表裏を連通（貫通）する開口を有している。本実施の形態では、クリーナ部材３と待避部４とクリーナ固定部５を、クリーナ保持部材１上に２カ所設けたが、配置個数についてはこれに限定されるものではない。当然ながら、配置個数を増やす程、クリーナ保持部材１の回転数に対して対物レンズ６への接触回数が増えるので、短時間で清掃が完了する。
【００３５】
７はレンズ保持部材であり、対物レンズ６を保持している。対物レンズ６は、記録済みディスクや記録再生用ディスクに、光学的情報を記録または再生するために光をディスクに収束させるためのレンズである。対物レンズ６に埃が付着すると、光学的情報の伝達に大きな障害をもたらす原因となる。図３に示すように、矢印Ｄの回転方向に対する接線方向の待避部４の幅ａは、レンズ保持部材７の外形寸法ｂより小さく構成されており、レンズ保持部材７が待避部４に入り込まないよう構成されている。
【００３６】
８は待避部４の上部に配された空気導入カバーであり、図５に示すようにクリーナ保持部材１の回転方向下流側が開口した形状（開口部８ａを設けている）となっており、開口部８ａを介してクリーナ肘部材１の表面側空間と、待避部４の内部空間とを連通するように設けられている。クリーナ保持部材１が矢印Ｅの方向に回転することにより、空気が矢印Ｇの方向に導入される。クリーナ部材３は、導入された空気の圧力によって矢印Ｈ方向へ付勢される。
【００３７】
また、空気導入カバー８には傾斜部８ｂを設けており、これにより開口部８ａから導入される空気の流れを待避部４側へ、より導きやすくなり（スムーズに矢印Ｇに示すように空気が流れるので）、クリーナ部材３に作用させる空気の流入量や圧力の効率が良くなる。また、傾斜部８ｂにより、空気の流入抵抗が少なくなるので、クリーナ保持部材１の回転を安定化することができるとともに、風切り音などの異音を低減することができる。
【００３８】
以上のように構成された本実施の形態のレンズクリーナについて、以下その動作について説明する。
【００３９】
まず、清掃する光学式記録再生装置（ＣＤプレーヤやＤＶＤレコーダなど）に、図１に示すクリーナ保持部材１を装着する。具体的には、ドライブ装置におけるターンテーブル（図示せず）に、クリーナ保持部材１のセンタホール２を装着することで、クリーナ保持部材１を光学式記録再生装置に装着が完了する。なお、センタホール２のターンテーブルに対する装着方法は、使用者によって手動にて装着する構成でもよいし、トレイ（図示せず）にクリーナ保持部材１を載置しローディング機構によって自動的に装着する構成でもよい。
【００４０】
次に、ドライブ装置を再生状態にすることで、ターンテーブルが回転させクリーナ保持部材１を所定の回転数にて矢印Ｅ方向へ回転させるとともに、レーザーダイオード（図示せず）や光ピックアップ（図示せず）をクリーナ保持部材１の半径方向に移動させ、所定位置にて停止させる。その停止位置が、図１に示す対物レンズ６及びレンズ保持部材７の位置である。
【００４１】
この状態では、クリーナ保持部材１は矢印Ｅ方向に回転しているため、クリーナ保持部材１に設けられたブラシ状のクリーナ部材３が、レンズ保持部材７に保持されている対物レンズ６の表面に摺接し清掃する。これにより、対物レンズ６の表面に付着した埃などの異物を、除去することができる。
【００４２】
クリーナ保持部材１が矢印Ｅ方向に回転すると、図５に示す矢印Ｇのように、クリーナ保持部材１の上部空間の空気が、開口部８ａを介して空気導入カバー８内へ流入される。空気導入カバー８の開口部８ａに対向した端部は、傾斜部８ｂにより封鎖されているため、開口部８ａから流入された空気は下方向（クリーナ保持部材１の裏面側へ向かう方向）へ導かれる。導かれた空気は、待避部４内に位置するクリーナ部材３に当接し、クリーナ部材３に対して矢印Ｈ方向の押圧力を作用させる。これにより、クリーナ部材３は矢印Ｈ方向へ変形し、対物レンズ６に摺接させることができる。
【００４３】
本実施の形態では、クリーナ部材３と待避部４とクリーナ固定部５とからなるクリーナ手段は、クリーナ保持部材１上に、クリーナ保持部材１の中心から同半径位置に２カ所設けたので、クリーナ保持部材１が１回転するとクリーナ部材３が対物レンズ６に２回接触する。
【００４４】
また、クリーナ部材３は、クリーナ保持部材１の回転面に対し平行になるようにクリーナ固定部５で固定されており、かつクリーナ固定部５から先端に向かって対物レンズ６側（クリーナ保持部材１の裏面側）に変形させるように構成している。よって、クリーナ部材３の先端近傍は、クリーナ保持部材１の裏面から下側（対物レンズ６側）に突出するように構成される。
【００４５】
さらに、クリーナ部材３の配置部分近傍には待避部４を設けているため、対物レンズ６とクリーナ部材３とを接触させて対物レンズ６の清掃を行っているときに、接触の際の反動でクリーナ部材３が変形して上方向（クリーナ保持部材１の表面側の方向）へ移動したとしても、クリーナ部材３を待避させることができる。
【００４６】
所定時間（例えば数秒）、クリーナ部材３を対物レンズ６に摺接させてクリーニング動作を行ったあと、光学式記録再生装置の停止操作をすることで、ターンテーブルの回転を停止させクリーナ保持部材１の回転を停止させ、対物レンズ６を含む光ピックアップやレーザーダイオードなどを待避させることができる。そして、センタホール２をターンテーブルから取り外すことで、クリーナ保持部材１を光学式記録再生装置から離脱する。これにより、クリーニング動作が完了する。
【００４７】
かかる構成によれば、クリーナ保持部材１の回転面に対し略平行にクリーナ部材３を植設し、クリーナ部材３の周囲に待避部４を設けたことにより、対物レンズ６に付着した埃を除去する際に、ワーキングディスタンスの小さな対物レンズ６においても、対物レンズ６にクリーナ部材３の大きな負荷が掛かることがなく、対物レンズ６に付着した埃を安全に除去することができる。また、空気導入カバー８によって導入された空気が、対物レンズ６の方向にクリーナ部材３を付勢することにより、対物レンズ６に付着した埃を安定して除去することができる。
【００４８】
なお、本実施の形態において、クリーナ保持部材１へはクリーナ部材３および空気導入カバー８を２カ所構成しているが、１カ所もしくは２カ所以上の複数カ所にクリーナ部材３および空気導入カバー８を構成しても良い。また、クリーナ部材３としてブラシ状の構成を示したが、不織布の様なシート状の物でクリーナ部材３を構成してもよい。
【産業上の利用可能性】
【００４９】
本発明にかかるレンズクリーナよれば、クリーナ部材とレンズクリーナ保持部材の回転面とを略平行となるよう植設し、クリーナ部材の周囲にクリーナ部材が待避するための待避部とを構成し、クリーナ部材はクリーナ保持部材への固定部から先端に近づくにつれ、前記対物レンズの側に近づくように変形し構成したものである。さらに、空気導入カバーによる空気流によって、クリーナ部材を対物レンズの側に付勢し、安全で確実に対物レンズの表面に付着した埃をクリーニングするレンズクリーナとして有用である。
【図面の簡単な説明】
【００５０】
【図１】本発明の実施形態１におけるレンズクリーナの要部構成を示す斜視図
【図２】図１におけるＢ−Ｂ’矢印方向からの部分断面を示す要部断面図
【図３】図１におけるＣ部を示す要部斜視図
【図４】本発明の実施形態２におけるレンズクリーナの要部構成を示す斜視図
【図５】図４におけるＦ−Ｆ’矢印方向からの部分断面を示す要部断面図
【図６】従来例における部分断面を示す要部断面図
【符号の説明】
【００５１】
１    クリーナ保持部材
２    センタホール
３    クリーナ部材
４    待避部
５    クリーナ固定部
６    対物レンズ
７    レンズ保持部材
８    空気導入カバー
【図１】
2006172612.tif 000003
【図２】
2006172612.tif 000004
【図３】
2006172612.tif 000005
【図４】
2006172612.tif 000006
【図５】
2006172612.tif 000007
【図６】
2006172612.tif 000008